(57)【要約】【課題】意匠性を向上できる屋根構造体を提供すること。【解決手段】サポート柱取付金具６８を備える屋根構造体は、柱材２と、柱材２に接続される梁４と、梁４に接続される屋根体６と、梁４に固定され、サポート柱１２の上端部を係脱させることが可能なサポート柱取付金具６８と、を備え、サポート柱取付金具６８の少なくとも一部は、屋根体６の内部に配置される。また、サポート柱取付金具６８は、先端側形材６４の開口部６４９ｂを介して形材側下面６４９ａよりも下方に突出する係脱部６８２を有することが好ましい。【選択図】図８
2018123652.tif 000002
【特許請求の範囲】
【請求項１】
柱材と、
前記柱材に接続される梁と、
前記梁に接続される屋根体と、
前記梁に固定され、サポート柱の上端部を係脱させることが可能なサポート柱取付金具と、を備え、
前記サポート柱取付金具の少なくとも一部は、前記屋根体の内部に配置される屋根構造体。
【請求項２】
前記屋根体は、平面状の形材側下面と、前記形材側下面を貫通する開口部と、を有する屋根体構成形材を備え、
前記サポート柱取付金具の少なくとも一部は、前記形材側下面よりも上方に配置され、
前記サポート柱取付金具は、前記屋根体構成形材の前記開口部を介して前記形材側下面よりも下方に突出する係脱部を有する請求項１に記載の屋根構造体。
【請求項３】
前記係脱部の下面は、平面状に形成される請求項２に記載の屋根構造体。
【請求項４】
前記屋根体構成形材は、中空部を有する形材で構成される請求項２又は３に記載の屋根構造体。
【請求項５】
前記屋根体は、梁の下部に接続され、
前記サポート柱取付金具は、ネジ部材により前記梁と前記屋根体とに共締めされて、前記梁及び前記屋根体に固定される請求項１から４のいずれかに記載の屋根構造体。
【発明の詳細な説明】
【技術分野】
【０００１】
本発明は、屋根構造体に関する。より詳しくは、屋根体を下方から支持するサポート柱の上端部を係脱させることが可能なサポート柱取付金具を備える屋根構造体に関する。
【背景技術】
【０００２】
従来、梁と屋根体とを備える片持ち支持構造のカーポートなどの屋根構造体において、屋根体を下方から支持するサポート柱を備える技術が知られている（例えば、特許文献１参照）。サポート柱は、片持ち支持構造のカーポートにおいて、例えば、強風や降雪の場合に、屋根体を下方から支持するように、梁や屋根体に取り付けられたサポート柱取付金具に取り付けられ、強風や雪でない場合に、梁や屋根体に取り付けられたサポート柱取付金具から取り外される。つまり、カーポートのサポート柱の上端部は、梁や屋根体の下部に設けられたサポート柱取付金具に係脱可能に構成される。
【先行技術文献】
【特許文献】
【０００３】
【特許文献１】特許第５２６１６９８号公報
【発明の概要】
【発明が解決しようとする課題】
【０００４】
サポート柱が取り付けられたカーポートにおいては、梁や屋根体に設けられたサポート柱取付金具は、サポート柱が取り外された場合に、梁や屋根体の下部から下方に突出した状態で配置される。そのため、カーポートの屋根体を下方から見た場合に、サポート柱取付金具が目立った状態で視認される。
サポート柱をカーポートから取り外した場合に、サポート柱取付金具が目立たないように、意匠性を向上できることが望まれる。
【０００５】
本発明は、意匠性を向上できる屋根構造体を提供することを目的とする。
【課題を解決するための手段】
【０００６】
本発明は、柱材（例えば、後述する支柱２）と、前記柱材に接続される梁（例えば、後述する梁４）と、前記梁に接続される屋根体（例えば、後述する屋根体６）と、前記梁に固定され、サポート柱（例えば、後述するサポート柱１２）の上端部を係脱させることが可能なサポート柱取付金具（例えば、後述するサポート柱取付金具６８）と、を備え、前記サポート柱取付金具の少なくとも一部は、前記屋根体の内部に配置される屋根構造体に関する。
【０００７】
また、前記屋根体は、平面状の形材側下面（例えば、後述する形材側下面６４９ａ）と、前記形材側下面を貫通する開口部（例えば、後述する開口部６４９ｂ）と、を有する屋根体構成形材（例えば、後述する先端側形材６４）を備え、前記サポート柱取付金具の少なくとも一部は、前記形材側下面よりも上方に配置され、前記サポート柱取付金具は、前記屋根体構成形材の前記開口部を介して前記形材側下面よりも下方に突出する係脱部（例えば、後述する係脱部６８２）を有することが好ましい。
【０００８】
また、前記係脱部の下面は、平面状に形成されることが好ましい。
【０００９】
また、前記屋根体構成形材は、中空部を有する形材で構成されることが好ましい。
【００１０】
また、前記屋根体は、梁の下部に接続され、前記サポート柱取付金具は、ネジ部材（例えば、後述するネジ部材１０８）により前記梁と前記屋根体とに共締めされて、前記梁及び前記屋根体に固定されることが好ましい。
【発明の効果】
【００１１】
本発明によれば、意匠性を向上できる屋根構造体を提供することができる。
【図面の簡単な説明】
【００１２】
【図１】本発明の一実施形態に係るカーポートを上方側から見た斜視図である。
【図２】本発明の一実施形態に係るカーポートを下方側から見た斜視図である。
【図３】屋根体の基端側の構造を示す要部拡大斜視図である。
【図４】図１におけるＡ−Ａ線断面図である。
【図５】屋根体を構成する樋構成形材の梁への接続構造を示す断面図である。
【図６】屋根体を構成する中間形材の梁への接続構造を示す断面図である。
【図７】図４におけるＣ−Ｃ線断面図である。
【図８】サポート柱取付金具にサポート柱を引っ掛ける状態を示す斜視図である。
【図９】サポート柱取付金具の取り付け状態において各部材を分解して示す分解斜視図である。
【図１０】サポート柱取付金具の取り付け状態を示す断面図である。
【発明を実施するための形態】
【００１３】
以下、本発明の屋根構造体の一実施形態について、図面を参照しながら説明する。本実施形態においては、屋根構造体をカーポート１に適用した例について説明する。なお、本実施形態においては、屋根構造体をカーポート１に適用した例について説明するが、これに限定されない。例えば、屋根構造体を、カーポート以外の構造物、例えば、駐輪場、シェルター、休憩所、テラス、バス停などの構造物に適用してもよい。
【００１４】
図１は、本発明の一実施形態に係るカーポート１を上方側から見た斜視図である。図２は、本発明の一実施形態に係るカーポート１を下方側から見た斜視図である。図３は、屋根体６の基端側の構造を示す要部拡大斜視図である。図４は、図１におけるＡ−Ａ線断面図である。図５は、屋根体６を構成する樋構成形材６２の梁４への接続構造を示す断面図である。図６は、屋根体６を構成する中間形材６３の梁４への接続構造を示す断面図である。図７は、図４におけるＣ−Ｃ線断面図である。図８は、サポート柱取付金具６８にサポート柱１２を引っ掛ける状態を示す斜視図である。図９は、サポート柱取付金具６８の取り付け状態において各部材を分解して示す分解斜視図である。図１０は、サポート柱取付金具６８の取り付け状態を示す断面図である。
【００１５】
なお、本実施形態の説明においては、カーポート１の屋根体６を構成する複数の長尺形材（長尺材）６１が延びる方向を前後方向ともいい、図１及び図２において、カーポート１の手前側を手前側ともいい、カーポート１の奥側を奥側ともいう。また、長尺形材（長尺材）６１が延びる前後方向に直交する方向を左右方向ともいう。また、左右方向において、手前側から見た場合に支柱２側を、カーポート１の右側ともいい、手前側から見た場合に支柱２と反対側を、カーポート１の左側ともいう。また、梁４が延びる方向において、支柱２側を、カーポート１の基端側ともいい、支柱２と反対側を、カーポート１の先端側ともいう。
【００１６】
まず、本実施形態のカーポート１の全体構造について説明する。本実施形態のカーポート１は、図１及び図２に示すように、屋根体６を左右方向の基端側（図１及び図２における右側）において一対の支柱２で支持する、いわゆる、片持ち構造のカーポートである。また、本実施形態のカーポート１は、支柱２に接続された梁４の下部（下方）に、屋根体６が吊られて接続される吊構造で構成される。
【００１７】
図１〜図６に示すように、本実施形態のカーポート１は、地面１１に立設される一対の支柱２（柱材）と、一対の支柱２の側面に取り付けられる支柱カバー部材３（カバー部材）と、支柱２の上端部から支柱に交差する方向に延びる梁４と、支柱２と梁４とを接続するＬ字状の連結部材５と、梁４の下部に接続される屋根体６（屋根材）と、屋根体６の上面を流れた水を支柱２側へ誘導するＬ字状の誘導部材７（図３参照）と、一対の屋根体側部カバー部材８（カバー部）と、屋根体先端カバー部材６５と、サポート柱１２と、サポート柱取付金具６８と、を備える。支柱２及び梁４は、アルミ材料の押出し形材で形成され、断面が中空状の中空部を有するホロー構造を有する。
支柱２、梁４、屋根体６及びサポート柱取付金具６８は、後述するサポート柱取付金具６８を備える屋根構造体を構成する。
【００１８】
一対の支柱２は、図１に示すように、カーポート１の左右方向の一方側（図１における右側）において、カーポート１の前後方向に離間して配置される。
支柱２は、上下方向に延びて形成され、図７に示すように、横断面が角筒状に形成される中空状の支柱側ホロー部２１と、支柱側ホロー部２１の屋根体６側の側面から屋根体６側に突出すると共に上下方向に延びる一対のカバー取付壁２２と、を有する。一対のカバー取付壁２２には、支柱カバー部材３が取り付けられる。支柱２の上端部には、支柱２の上端部の開口を覆うように、支柱キャップ２０１が配置される。
【００１９】
図１に示すように、一対の支柱２における前後方向の一方側（図１における手前側）の支柱２には、地面１１付近の下端部に、下端開口部２３が形成される。下端開口部２３は、屋根体６側の側面が開放すると共に屋根体６側から支柱２の内部側に窪むように切り欠かれている。下端開口部２３には、排水受け蓋部材２４が配置される。排水受け蓋部材２４には、前後方向の手前側の外方に向けて開放する排出開口２４ａが設けられている。排出開口２４ａは、支柱２と支柱カバー部材３とにより構成される支柱側樋構成部２０（後述）を流れる水を手前側の外部へ排出する。
【００２０】
支柱カバー部材３は、図４に示すように、支柱２における一対のカバー取付壁２２に取り付けられる。支柱カバー部材３は、支柱２における屋根体６側の側面、及び後述する支柱２と連結部材５とを固定するネジ部材１０２を覆うように、一対のカバー取付壁２２（図７参照）に取り付けられる。支柱２と支柱カバー部材３との間には屋根体６の上面６ａを流れる水が流入して水が流れるため、支柱２及び支柱カバー部材３は支柱側樋構成部２０（柱材側樋構造）として構成される。
【００２１】
支柱２と支柱カバー部材３との間（支柱側樋構成部２０）には、屋根体６の屋根体側樋構成部６０（後述）から排出された水が流される。支柱側樋構成部２０は、支柱２の屋根体６側の側面が支柱カバー部材３に覆われるため、カーポート１の外部からは視認されない。そのため、支柱２が樋の機能を備えることが外部からは視認されず、意匠性を向上できる。
【００２２】
一対の梁４は、図１に示すように、カーポート１の前後方向に離間して配置される。一対の梁４は、それぞれ、左右方向に延びると共に、支柱２側に下る下り傾斜で形成される。一対の梁４の基端側の端部（右側の端部）は、Ｌ字状の連結部材５を介して、支柱２の上端部に接続される。一対の梁４の下部には、屋根体６が接続される。
【００２３】
一対の梁４は、図１及び図４に示すように、それぞれ、断面が角筒状に形成される梁側ホロー部４１と、延出板部４２と、端部キャップ４３と、を有する。
【００２４】
梁側ホロー部４１の先端４１ａは、先端側の上端部が傾斜して切り欠かれるように、先端側から基端側（支柱２側）に向かうにしたがって上る上り傾斜で形成される。そのため、梁４の先端４１ａは、梁４の下部に屋根体６が接続された状態において、屋根体６の先端側の下方の地面１１側からは視認しにくい形状である。よって、屋根体６の先端側の下方の地面１１側からは梁４を視認しにくいため、意匠性を向上できる。
【００２５】
延出板部４２は、梁側ホロー部４１の下端部から、屋根体６における前後方向の中央側（一対の梁４のうち、当該梁４とは別の梁４側）に向けて延出すると共に、左右方向に延びる板状に形成される。
【００２６】
延出板部４２には、図５及び図６に示すように、梁４に屋根体６を固定するために用いられるネジ部材１０１が挿入されるネジ孔４２１が左右方向に並んで複数形成されている。複数のネジ孔４２１は、支柱２側の基端側から梁４の先端側に向かって、第１樋形材取り付けネジ孔４２１ａ、フック部取り付けネジ孔４２１ｂ、第２樋形材取り付けネジ孔４２１ｃが形成され、続けて、複数の片側取り付けネジ孔４２１ｄが並んで形成されている。
【００２７】
第１樋形材取り付けネジ孔４２１ａは、図５に示すように、長尺形材６１における樋構成形材６２（後述）の基端側の部分と梁４の延出板部４２とをネジ部材１０１で固定するために設けられる。
第２樋形材取り付けネジ孔４２１ｃは、長尺形材６１における樋構成形材６２（後述）の先端側の部分と梁４の延出板部４２とをネジ部材１０１で固定するために設けられる。
フック部取り付けネジ孔４２１ｂには、長尺形材６１における樋構成形材６２（後述）を梁４に取り付ける際に、長尺形材６１の樋構成形材６２を引っ掛けて仮置きするためのフック部１１０（図５参照）をネジ部材１０１で固定するために設けられる。
片側取り付けネジ孔４２１ｄは、図６に示すように、長尺形材６１の中間形材６３を梁４に取り付ける際に、中間形材６３の先端側の部分と梁４の延出板部４２とをネジ部材１０１で固定するために設けられる。
【００２８】
連結部材５は、図４に示すように、カーポート１を前後方向に見た場合に、全体としてＬ字状に形成され、断面が筒状に形成される。連結部材５は、上下方向に延びる縦筒部５１と、縦筒部５１側が下る下り傾斜となるように延びると共に縦筒部５１に接続される横筒部５２と、を有する。
【００２９】
連結部材５は、支柱２と梁４とを接続する。連結部材５は、縦筒部５１の下端部（一方側）が、支柱２の上端部側から支柱２の支柱側ホロー部２１に挿入され、上下方向に並ぶ４つのネジ部材１０２により屋根体６側において支柱２に固定される。連結部材５は、横筒部５２の先端部（他方側）が、梁４の梁側ホロー部４１に挿入されて、上方側から２のネジ部材１０３に固定されると共に、下方側から１つのネジ部材１０４で固定される。
【００３０】
支柱２と連結部材５とを固定する上下方向に並ぶ４つのネジ部材１０２は、図４に示すように、屋根体６側の支柱２の側面の４箇所において、支柱２と連結部材５とを固定する。支柱２の屋根体６側の側面に露出したネジ部材１０２は、支柱２の側面を覆う支柱カバー部材３が支柱２に取り付けられることで、外部から視認されないように、支柱カバー部材３により覆われる。これにより、外部からネジ部材１０２が視認されないため、意匠性を向上できる。
【００３１】
梁４と連結部材５とを固定する複数のネジ部材１０３，１０４は、梁４の上面の２箇所と、梁４の下面の１箇所において、梁４と連結部材５とを固定する。梁４の上面側の２箇所のネジ部材１０３は、上方に露出して配置されるため、カーポート１の下方側からは視認されない。梁４の下面側の１箇所のネジ部材１０４は、梁４の下方に屋根体６が配置されるため、カーポート１の下方側からは視認されない。
【００３２】
屋根体６は、図４に示すように、屋根体６が一対の梁４の下部に吊られて配置される吊り下げ構造であって、一対の梁４の下部に取り付けられる（接続される）。屋根体６は、複数の長尺形材（長尺材）６１が、梁４が延びる方向に並んで連設されて互いが嵌合して連結されて構成される。屋根体６の先端側には、一対のサポート柱１２の上端部が係脱可能に接続される。
【００３３】
一対のサポート柱１２は、図１に示すように、カーポート１の前後方向に離間して配置される。サポート柱１２は、屋根体６の先端側の下面側から、支柱２とは反対側に離れるように僅かに傾斜して地面１１側に向かって延びる棒状に形成される。サポート柱１２は、地面１１と屋根体６との間に配置され、屋根体６と共締めされて、梁４に固定される。サポート柱１２の上端部は、例えば、強風や降雪の際に、屋根体６に取り付けられたサポート柱取付金具６８（図８参照）に係脱させることが可能である。
【００３４】
複数の長尺形材６１は、それぞれ、カーポート１の前後方向（梁４が延びる方向に直交する方向）に延びており、所定の厚さを有する。複数の長尺形材６１は、それぞれ、アルミ材料の押出し形材で形成され、断面が中空状に形成される中空部を有するホロー構造を有する。屋根体６は、上面６ａ及び下面６ｂがフラット（平面状）に形成される。屋根体６は、支柱２側が下る下り傾斜に配置されており、上面６ａ及び下面６ｂは、支柱２側が下る下り傾斜に形成される。アルミ材料の押出し形材で形成された複数の長尺形材６１を連結して屋根体６を構成することで、複数の長尺形材６１を、屋根体６の面材として使用できると共に、屋根体６の強度を確保することができる。
【００３５】
屋根体６を構成する複数の長尺形材６１は、図４に示すように、支柱２側の最も基端側の端部に配置される樋構成形材６２と、最も先端側に配置される先端側形材６４と、樋構成形材６２と先端側形材６４との間に配置される複数の中間形材６３と、により構成される。
【００３６】
樋構成形材６２は、図５に示すように、中空部を有するホロー構造のアルミ材料の長尺形材の上面が切り欠かれて上方に開放された形状に形成される。樋構成形材６２は、屋根体６の支柱２側の最も基端側の端部において、屋根体６の上面６ａを基端側に流れて基端側の端部に達した水を受け止めて流通させる屋根体側樋構成部６０を構成する。屋根体側樋構成部６０は、屋根体６の上面６ａを流れる水の下流側の端部に配置される。本実施形態においては、屋根体側樋構成部６０は、屋根体６における下り傾斜の端部であって、屋根体６における基端側の支柱２側の端部に配置されている。
【００３７】
屋根体側樋構成部６０は、中空部を有するホロー構造のアルミ材料の長尺形材の上面を切り欠いて形成されるため、屋根体側樋構成部６０を屋根体６の下方から見た場合に、長尺形材６１のフラットな（平面状の）下面が見えるだけで、屋根体６の上面６ａ側に樋が存在することを認識させずに樋を構成でき、意匠性を向上できる。
【００３８】
樋構成形材６２は、屋根体６の基端側の支柱２側に形成される樋構成部６２１と、屋根体６の先端側に形成される先端側上部外方延出片６２７と、屋根体６の先端側に形成される先端側下部外方片６２８と、を有する。
【００３９】
樋構成部６２１は、上方が開放する略Ｕ字形状の樋構成部本体６２２と、屋根体６の基端側に配置される基端側上部内方延出片６２３と、屋根体６の先端側に配置される先端側上部内方延出片６２４と、水切りフィン６２５と、基端側上部壁６２６と、を有する。
【００４０】
樋構成部本体６２２は、屋根体６の上面６ａにおいて支柱２側に流された水を、上方の開放された部分から導入して受け止める。樋構成部本体６２２の側面には、導出開口６２２ａが形成される。
【００４１】
導出開口６２２ａは、図３及び図５に示すように、前後方向において一対の支柱２のうちの手前側の一方の支柱２が配置される部分において、樋構成部本体６２２の側面を支柱２側の側方に貫通して形成される。導出開口６２２ａには、Ｌ字状の誘導部材７の側部開口部７１（後述）が接続される。
【００４２】
誘導部材７は、図３及び図５に示すように、屋根体側樋構成部６０に流れ込んで滞留した水を、支柱側樋構成部２０に誘導する。誘導部材７は、前後方向に見た場合に、Ｌ字状の筒状に形成され、側部開口部７１と、下端開口部７２と、を有する。誘導部材７は、一方側の側部開口部７１が樋構成部本体６２２（屋根体側樋構成部６０）の側面に形成された導出開口６２２ａに接続されると共に、他方側の下端開口部７２が支柱２と支柱カバー部材３との間に挿入されて、支柱側樋構成部２０の内部に開口される。誘導部材７は支柱２と支柱カバー部材３との間に配置されるため、支柱２を切り欠かなくても、誘導部材７の下端開口部７２を支柱２側に配置できる。
【００４３】
基端側上部内方延出片６２３は、図５に示すように、樋構成部６２１の基端部側において、樋構成部６２１の上方側の内面から内方側に突出する。基端側上部内方延出片６２３には、ネジ部材１０１がねじ込まれる取付ネジ孔６２３ａが形成される。
【００４４】
先端側上部内方延出片６２４は、樋構成部６２１の幅方向の基端部と反対側において、樋構成部６２１の上端部から内側に突出する。先端側上部内方延出片６２４の先端には下端に突出する引っ掛け突出片６２４ａが形成される。樋構成形材６２を梁４に取り付ける場合には、樋構成形材６２の引っ掛け突出片６２４ａを、梁４の延出板部４２の下面に固定されたフック部１１０に引っ掛けることで、樋構成形材６２を、梁４の延出板部４２の下面に仮置きできる。また、樋構成形材６２の引っ掛け突出片６２４ａを梁４の延出板部４２の下面に固定されたフック部１１０に引っ掛けた状態で、引っ掛け突出片６２４ａを中心に樋構成形材６２を回転することで、樋構成形材６２を、取り付け位置に配置できる。
【００４５】
水切りフィン６２５は、図５に示すように、樋構成部本体６２２における屋根体６の基端側において、樋構成部本体６２２の下端部から下方に突出する。水切りフィン６２５の下端部６２５ａの位置は、上下方向において、支柱カバー部材３の上端部３１よりも下方に位置する。
【００４６】
水切りフィン６２５は、後述する屋根体側部カバー部材８の水受け流路部（図示せず）から導出された水が伝達され、屋根体側部カバー部材８の水受け流路部（図示せず）により伝達された水を、屋根体６の下面６ｂに回り込まないように、屋根体６の下方に落下させる。
【００４７】
また、水切りフィン６２５の下端部６２５ａの位置は、上下方向において、支柱カバー部材３の上端部３１よりも下方に位置するため、水切りフィン６２５は、支柱カバー部材３の上端部３１よりも上方における誘導部材７が配置される部分を覆うことができる。これにより、誘導部材７を外部から隠すことができるため、意匠性を向上できる。
【００４８】
基端側上部壁６２６は、屋根体６の基端側の端部において、屋根体６の上面６ａから立設して形成される。基端側上部壁６２６は、屋根体６の基端側の端部において、水の飛び出しを低減する。
【００４９】
先端側上部外方延出片６２７は、樋構成部本体６２２における屋根体６の先端側（左側）の上端部から先端側に向けて延出する。先端側上部外方延出片６２７には、ネジ孔６２７ａが形成される。ネジ孔６２７ａには、樋構成形材６２の先端側の端部を梁４に取り付ける際に、梁４の延出板部４２の第２樋形材取り付けネジ孔４２１ｃの上方から挿入されたネジ部材１０１が挿入され、ネジ部材１０１は、先端側上部外方延出片６２７の下方に配置されるナット部材６０１に螺合する。
【００５０】
先端側上部外方延出片６２７における屋根体６の先端側（左側）の端部には、側方延出壁６２７ｂと、下方延出壁６２７ｃと、が形成される。下方延出壁６２７ｃの基端側の側面からは、先端側係止片６２７ｄが基端側の側方に突出する。先端側係止片６２７ｄに対向する位置には、先端側上部外方延出片６２７の下方から下方に延出し途中で先端側係止片６２７ｄ側に屈曲して形成される基端側係止片６２７ｅが形成される。
先端側上部外方延出片６２７の下方において、先端側係止片６２７ｄと基端側係止片６２７ｅとにより、ナット部材６０１が係止される。
【００５１】
下方延出壁６２７ｃの先端側（左側）の面には、隣接する中間形材６３の基端側の端部に取り付けられるパッキン部材６０２が押圧される。パッキン部材６０２は、樋構成形材６２と中間形材６３との接合部に配置される止水部（第１止水部）として機能する。
【００５２】
先端側下部外方片６２８は、樋構成部本体６２２における屋根体６の先端側（左側）の下端部から先端側（左側）に延出する。先端側下部外方片６２８における先端側（左側）の端部には、上方側に突出する引っ掛け係合部６２８ａ（第１係合部）が形成される。
【００５３】
引っ掛け係合部６２８ａは、梁４に取り付けられた樋構成形材６２の先端側（長手方向に直交する幅方向の一端部側）の端部に形成される。引っ掛け係合部６２８ａは、隣接する中間形材６３の基端側（長手方向に直交する幅方向の樋構成形材６２側の端部側）の端部に形成される引っ掛け延出片６３５の戻り引っ掛け片６３５ｂ（第２係合部）（後述）に係合可能である。
【００５４】
先端側下部外方片６２８の上面には、隣接する長尺形材６１の中間形材６３における中段樋構成部６１０（後述）（第１の第２止水部）から溢れた水が流通する。先端側下部外方片６２８の上面は、屋根体６の内部において、上下方向の下段に位置する下段樋構成部６２０を構成する。下段樋構成部６２０は、水を流す樋機能を有すると共に、止水部（第２の第２止水部）として機能する。下段樋構成部６２０は、パッキン部材６０２を通過して中段樋構成部６１０に受け止められた水であって中段樋構成部６１０（第１の第２止水部）から溢れた水を受け止めて、受け止めた水を前後方向の両端部側に流通させる。
【００５５】
樋構成形材６２は、基端側において、上方側からネジ部材１０１が移動され、梁４の延出板部４２の第１樋形材取り付けネジ孔４２１ａを通されたネジ部材１０１が基端側上部内方延出片６２３の取付ネジ孔６２３ａに螺合されることで、梁４に固定される。また、樋構成形材６２においては、図５に示すように、ナット部材６０１は、樋構成形材６２における先端部側において、樋構成形材６２の内部に取り付けられている。樋構成形材６２は、先端側において、上方側から移動されるネジ部材１０１により、梁４の延出板部４２の片側取り付けネジ孔４２１ｄと先端側上部外方延出片６２７のネジ孔６２７ａとに挿通されたネジ部材１０１が、ナット部材６０１に螺合されることで、梁４に固定される。
【００５６】
中間形材６３は、樋構成形材６２と先端側形材６４との間に複数並んで配置される。中間形材６３は、図６に示すように、中間形材６３側に配置される第１中間ホロー部６３１と、第１中間ホロー部６３１の先端側に配置される第２中間ホロー部６３２と、第１中間ホロー部６３１における基端側の上端部の側面に形成されるパッキン取付凹部６３３と、第１中間ホロー部６３１の中間形材６３側の面において上下方向の略中央から中間形材６３側に延在するＬ字状の第２止水部としての中段樋部６３４と、中段樋部６３４の基端側の端部の下端部から下方に延びるＬ字状の引っ掛け延出片６３５と、第１中間ホロー部６３１における中間形材６３側の下端部の側面から基端側に突出する基端側下部突出片６３６と、先端側上部外方延出片６３７と、先端側下部外方片６３８と、を有する。
【００５７】
パッキン取付凹部６３３は、基端側に隣接する樋構成形材６２の下方延出壁６２７ｃに対向して配置される。パッキン取付凹部６３３には、パッキン部材６０２が取り付けられる。パッキン部材６０２は、パッキン取付凹部６３３に取り付けられた状態で、基端側に隣接する樋構成形材６２の下方延出壁６２７ｃを押圧する。パッキン部材６０２は、樋構成形材６２と中間形材６３との連結部分に配置され、止水部（第１止水部）として機能する。
【００５８】
中段樋部６３４は、底壁部６３４ａと、立設片６３４ｂと、を有する。中段樋部６３４は、屋根体６の内部において、上下方向の中段に位置する中段樋構成部６１０を構成する。中段樋構成部６１０は、水を流す樋機能を有すると共に、止水部（第１の第２止水部）として機能する。中段樋構成部６１０は、パッキン部材６０２で止水できなかったパッキン部材６０２を通過した水を受け止めて、受け止めた水を前後方向の両端部側に流通させる。
【００５９】
Ｌ字状の引っ掛け延出片６３５は、下方延出片６３５ａと、下方延出片６３５ａの下端部から第１中間ホロー部６３１側に戻るように延びる戻り引っ掛け片６３５ｂと、を有する。戻り引っ掛け片６３５ｂは、隣接する樋構成形材６２の先端側の端部に形成される引っ掛け係合部６２８ａに係合可能である。戻り引っ掛け片６３５ｂは、引っ掛け係合部６２８ａに係合した状態で、引っ掛け係合部６２８ａを中心に回転可能である。
【００６０】
梁４に接続した樋構成形材６２の隣りに、隣接する中間形材６３を取り付ける場合には、梁４に取り付けられた樋構成形材６２の引っ掛け係合部６２８ａに、中間形材６３の引っ掛け延出片６３５を引っ掛けることで、梁４の下方において、中間形材６３を仮置きできる。また、樋構成形材６２の引っ掛け係合部６２８ａに中間形材６３の引っ掛け延出片６３５を引っ掛けた状態で、引っ掛け延出片６３５の先端を中心に中間形材６３を回転することで、中間形材６３を取り付け位置に配置できる。
中間形材６３を取り付け位置に配置した状態においては、樋構成形材６２における梁４の先端側には、樋構成形材６２の引っ掛け係合部６２８ａに中間形材６３の引っ掛け延出片６３５が嵌合した状態で、中間形材６３が取り付けられる。
【００６１】
中間形材６３の先端側上部外方延出片６３７及び先端側下部外方片６３８については、説明しない点については、樋構成形材６２の先端側上部外方延出片６２７及び先端側下部外方片６２８の構造と同様である。そのため、中間形材６３の先端側上部外方延出片６３７及び先端側下部外方片６３８の構造については、図６において樋構成形材６２の構造に対応する符号を付して、その説明を省略する。
【００６２】
中間形材６３においては、図６に示すように、ナット部材６０１は、中間形材６３における先端部側（長手方向に直交する幅方向における戻り引っ掛け片６３５ｂ（第２係合部）と反対側の端部側）において、中間形材６３の内部に取り付けられている。中間形材６３は、先端側において、上方側から移動されるネジ部材１０１により、梁４の延出板部４２の片側取り付けネジ孔４２１ｄと先端側上部外方延出片６３７のネジ孔６３７ａとに挿通されたネジ部材１０１が、ナット部材６０１に螺合されることで、梁４に固定される。
【００６３】
また、連続して配置される複数の中間形材６３のうち、梁４に接続した中間形材６３の先端側に隣接して配置される中間形材６３の構成は、梁４に接続した樋構成形材６２の先端側に隣接して配置される中間形材６３の構成と同様である。そのため、中間形材６３に隣接して配置される中間形材６３の構成の説明は省略する。
【００６４】
梁４に接続した中間形材６３の隣りに、隣接する中間形材６３を取り付ける場合には、樋構成形材６２の隣りに中間形材６３を取り付ける場合と同様に、梁４に取り付けられた中間形材６３の引っ掛け係合部６３８ａ（第１係合部）に、中間形材６３の引っ掛け延出片６３５（第２係合部）を引っ掛けることで、梁４の下方において、中間形材６３を仮置きできる。また、中間形材６３の引っ掛け係合部６３８ａに中間形材６３の引っ掛け延出片６３５を引っ掛けた状態で、引っ掛け延出片６３５の先端を中心に中間形材６３を回転することで、中間形材６３を取り付け位置に配置できる。
隣接する中間形材６３を取り付け位置に配置した状態においては、既に取り付けられている中間形材６３における梁４の先端側には、既に取り付けられている中間形材６３の引っ掛け係合部６３８ａに、隣接する中間形材６３の引っ掛け延出片６３５が嵌合した状態で、隣接する中間形材６３が取り付けられる。
【００６５】
先端側形材６４は、図４に示すように、梁４に接続された複数の中間形材６３の先端側に配置される。先端側形材６４は、１つのホロー部６４１を有する。また、先端側形材６４における支柱２側の基端側の形状は、中間形材６３の支柱２側の形状と同様であるため、中間形材６３の説明を援用して、その説明を省略する。また、梁４に接続した中間形材６３の隣に、隣接する先端側形材６４を取り付ける場合においても、中間形材６３を樋構成形材６２の隣りに取り付ける場合と同様である。
先端側形材６４を取り付け位置に配置した状態においては、先端側形材６４の隣りの中間形材６３における梁４の先端側には、中間形材６３の引っ掛け係合部６３８ａに、先端側形材６４の引っ掛け延出片（図示せず）が嵌合した状態で、先端側形材６４が取り付けられる。
【００６６】
以上のように構成される屋根構造体において、図４に示すように、屋根体６における複数の長尺形材６１は、梁４の基端側から先端側に向かって、樋構成形材６２、複数の中間形材６３、先端側形材６４の順に並んで連接される。樋構成形材６２、複数の中間形材６３、先端側形材６４は、それぞれ、梁４の基端側において嵌合して連結され、梁４の先端側において、ネジ部材１０１により梁４に固定される。
【００６７】
屋根体先端カバー部材６５は、屋根体６の最も先端において、先端側形材６４の先端に取り付けられる。屋根体先端カバー部材６５は、屋根体６の前後方向に延びる。屋根体先端カバー部材６５は、図４に示すように、先端側の下端部において、下方に突出するフィン６５１を有する。
【００６８】
次に、サポート柱取付金具６８を備える屋根構造体について説明する。
カーポート１は、図４及び図８に示すように、支柱２と、支柱２に接続される梁４と、梁４の下部に接続される屋根体６と、サポート柱取付金具６８と、を備える。
【００６９】
屋根体６は、図４に示すように、複数の長尺形材６１が、梁４が延びる方向に並んで連設されており、梁４の先端側には、複数の長尺形材６１のうちの最も先端側において、サポート柱取付金具６８が取り付けられる先端側形材６４（屋根体構成形材）が配置される。
【００７０】
先端側形材６４は、中空部を有するホロー構造の形材で構成される。先端側形材６４は、図８〜図１０に示すように、下面が平面状の形材側下面６４９ａと、形材側下面６４９ａを貫通する円形状の開口部６４９ｂと、を有する。形材側下面６４９ａは、先端側形材６４におけるホロー構造の形材の下板の下面である。
【００７１】
形材側下面６４９ａにおける開口部６４９ｂの周縁には、環状カバー部材６９が取り付けられる。環状カバー部材６９は、形材側下面６４９ａにおける開口部６４９ｂを狭めるように、形材側下面６４９ａにおける開口部６４９ｂの周縁から、開口部６４９ｂの内側に延出する。環状カバー部材６９は、下方側から見た場合に、外側の外周が、円形状に形成され、内側の開口が、円形の径方向の両端部が直線状に切り欠かれた細長状に形成される。環状カバー部材６９は、図９に示すように、開口が形成されたカバー部材本体６９１と、カバー部材本体６９１の上部における開口の縁部から上方に環状に突出する環状突出部６９２と、環状突出部６９２から上方側に延出する一対の延出片６９３と、を有する。一対の延出片６９３は、支持枠体６８１の外面において、支持枠体６８１と係脱部６８２とを回動可能に連結する連結軸部材６８７の両端部に取り付けられている。
【００７２】
サポート柱取付金具６８は、サポート柱１２の上端部を係脱させることが可能である。サポート柱１２は、例えば、積雪（耐荷重）や耐風圧に対する強度を向上させるための補助部材である。サポート柱１２は、サポート柱取付金具６８に係脱することが可能である。
【００７３】
サポート柱１２は、断面が方形状で所定方向に延びる棒状部材１２１と、棒状部材１２１の上端部に取り付けられた引っ掛け金具１２３と、を有する。引っ掛け金具１２３は、略Ｕ字形状の板材により形成される。引っ掛け金具１２３は、入口部分が狭く且つ奥側が広い係脱溝１２４を有する。
【００７４】
サポート柱１２の引っ掛け金具１２３の係脱溝１２４に、屋根体６に取り付けられたサポート柱取付金具６８を引っ掛けて、サポート柱１２をサポート柱取付金具６８に係合させる方向に回転させることで、サポート柱１２をサポート柱取付金具６８に取り付けることができる。また、サポート柱１２をサポート柱取付金具６８との係合を外す方向に回転させることで、サポート柱１２をサポート柱取付金具６８から取り外すことができる。サポート柱１２の下端部は、カーポート１の下方の地面１１（図１参照）に設けられた固定金具（図示せず）に固定される。
【００７５】
サポート柱取付金具６８の少なくとも一部は、図８に示すように、形材側下面６４９ａよりも上方において、屋根体６の先端側形材６４の内部に配置される。サポート柱取付金具６８は、図９及び図１０に示すように、支持枠体６８１と、先端側形材６４の開口部６４９ｂを介して形材側下面６４９ａよりも下方に突出する係脱部６８２と、支持枠体６８１と係脱部６８２とを回動可能に連結する連結軸部材６８７と、を有する。
【００７６】
支持枠体６８１は、断面視でＵ字形状の板材により形成される。支持枠体６８１は、先端側形材６４の開口部６４９ｂの上方側において、Ｕ字形状の閉じた部分の板材が、先端側形材６４の上板の下面に取り付けられる。
【００７７】
支持枠体６８１は、図１０に示すように、支持枠体６８１のＵ字形状の閉じた部分の板材に貫通して形成されるネジ孔６８１ａ、先端側形材６４の上板を貫通して形成されるネジ孔６４９ｃ、及び梁４の延出板部４２を貫通して形成されるネジ孔４２１ｅを介して、ネジ部材１０８により、梁４と先端側形材６４（屋根体６）に共締めされて、先端側形材６４（屋根体６）に固定される。
【００７８】
係脱部６８２には、サポート柱１２の引っ掛け金具１２３を引っ掛けることが可能である。係脱部６８２の一部は、先端側形材６４の形材側下面６４９ａよりも下方に突出する。係脱部６８２は、図９及び図１０に示すように、回動円柱体６８６と、上側円板部材６８３と、金具係合筒６８４と、下部円板部材６８５と、を有する。
【００７９】
回動円柱体６８６は、上下方向に延びる円柱状に形成される。回動円柱体６８６の上部側は、支持枠体６８１のＵ字形状の開放した部分に配置される。回動円柱体６８６は、水平方向に延びる連結軸部材６８７により、支持枠体６８１に対して回動可能に、支持枠体６８１に連結される。回動円柱体６８６は、水平方向に延びる連結軸部材６８７の回動軸を中心に回動する。
【００８０】
上側円板部材６８３は、回動円柱体６８６の下端部に接続される。上側円板部材６８３は、回動円柱体６８６の径よりも大きい径の円板状に形成される。
【００８１】
金具係合筒６８４は、上側円板部材６８３の下端部に接続される金具係合筒６８４は、先端側形材６４の形材側下面６４９ａにおける開口部６４９ｂよりも下方に配置される。金具係合筒６８４は、上側円板部材６８３及び下部円板部材６８５の径よりも小さい径の筒状に形成され、対向する一対の円弧状部分６８４ａと、対向する一対の直線状部分６８４ｂと、を有する。金具係合筒６８４には、サポート柱１２の引っ掛け金具１２３に形成された係脱溝１２４が側方から挿入された状態で、サポート柱１２が回転されることにより、サポート柱１２の引っ掛け金具１２３が係合される。
【００８２】
下部円板部材６８５は、金具係合筒６８４よりも、径が大きい円板状に形成される。下部円板部材６８５は、上面の中心部分が、金具係合筒６８４の下端部に接続される。下部円板部材６８５は、先端側形材６４の形材側下面６４９ａにおける開口部６４９ｂよりの下方に配置される。下部円板部材６８５の下面６８５ａは、平面状に形成される。
【００８３】
下部円板部材６８５の下面６８５ａは、先端側形材６４の形材側下面６４９ａに対する角度αが、図１０に示すように、水平又は鋭角の角度αとなるように配置される。形材側下面６４９ａに対する角度αは、屋根体６の下方から見た場合に目立ちにくくするため、サポート柱１２をサポート柱取付金具６８から外した場合に、形材側下面６４９ａに対して水平又は水平に近い角度であることが好ましく、本実施形態においては、例えば、０°≦α≦３０°の範囲になるように配置される。
【００８４】
以上説明した本実施形態の屋根構造体によれば、以下のような効果を奏する。
本実施形態の屋根構造体は、梁４に固定されサポート柱１２の上端部を係脱させることが可能なサポート柱取付金具６８と、を備え、サポート柱取付金具６８の少なくとも一部は、屋根体６の内部に配置される。そのため、サポート柱１２をサポート柱取付金具６８から外した場合に、屋根体６の先端側形材６４の形材側下面６４９ａ側の外部側から、サポート柱取付金具６８が目立ちくいため、意匠性を向上できる。
【００８５】
また、本実施形態においては、屋根体６は、平面状の形材側下面６４９ａと、形材側下面６４９ａを貫通する開口部６４９ｂと、を有する先端側形材６４を備え、サポート柱取付金具６８の少なくとも一部は、形材側下面６４９ａよりも上方に配置され、サポート柱取付金具６８は、先端側形材６４の開口部６４９ｂを介して形材側下面６４９ａよりも下方に突出する係脱部６８２を有する。
これにより、サポート柱１２をサポート柱取付金具６８から外した場合に、サポート柱取付金具６８の少なくとも一部が形材側下面６４９ａよりも上方に配置された状態で、屋根体６の先端側形材６４の形材側下面６４９ａ側の外部側から、係脱部６８２の下面６８５ａが視認される。そのため、サポート柱取付金具６８が一層目立ちくいため、意匠性を向上できる。
【００８６】
また、本実施形態においては、係脱部６８２の下面６８５ａは、平面状に形成される。これにより、サポート柱取付金具６８が一層目立ちくいため、意匠性を向上できる。
【００８７】
また、本実施形態においては、先端側形材６４は、中空部を有する形材で構成される。これにより、サポート柱取付金具６８の少なくとも一部は、先端側形材６４の中空部の内部に配置される。よって、サポート柱取付金具６８が一層目立ちくいため、意匠性を向上できる。
【００８８】
本実施形態においては、屋根体６は、梁の下部に接続され、サポート柱取付金具６８は、ネジ部材１０８により梁４と屋根体６とに共締めされて、梁４及び屋根体６に固定される。そのため、サポート柱取付金具６８を強固に固定できる。これにより、サポート柱取付金具６８の取り付けの強度を向上できる。
【００８９】
以上、本発明のカーポート（屋根構造体）の好ましい一実施形態について説明したが、本発明は、上述した実施形態に制限されるものではなく、適宜変更が可能である。
例えば、前記実施形態では、屋根体６を、複数の長尺形材６１を並べて配置して構成したが、これに限定されない。例えば、フレーム（枠体）とフレームに支持されるパネル材とを備える構造の屋根体であってもよい。この場合には、サポート柱取付金具６８を、複数の長尺形材６１のうちの先端側形材６４に取り付けたが、これに限定されず、例えば、枠組みされたフレーム（枠体）とパネル材とにより屋根体が構成される屋根構造体において、サポート柱取付金具を、フレーム（枠体）に取り付けてもよいし、梁に接続されると共に屋根体を支持する前桁を備える屋根構造体において、サポート柱取付金具を、前桁に取り付けてもよい。
【００９０】
また、前記実施形態では、複数の長尺形材６１を左右方向に並べて配置したが、これに限定されず、複数の長尺形材６１を前後方向に並べて配置してもよい。
【００９１】
また、前記実施形態では、長尺形材６１を、中空部を有するホロー構造としたが、これに、限定されず、中空部を有さないソリッド材や複数のソリッド材を組み合わせた構造の形材を用いてもよい。例えば、長尺形材６１を、上部が開口する断面視でＵ字形状やＣ字形状に形成してもよい。長尺形材６１の上部に開口部分を設けて構成される場合には、例えば、サポート柱取付金具６８を、長尺形材６１に固定せずに、長尺形材６１の開口部分に配置した状態で、サポート柱取付金具６８を梁４に直接固定することもできる。また、長尺形材６１にけるホロー構造の中空部の数は限定されない。
【００９２】
また、前記実施形態では、屋根体６を梁４に吊られる構造としたが、これに限定されず、屋根体６を梁４の上方に配置する構造でもよい。
【００９３】
また、前記実施形態では、サポート柱取付金具６８の係脱部６８２を、先端側形材６４（屋根体構成形材）の開口部６４９ｂを介して形材側下面６４９ａよりも下方に突出するように配置したが、これに限定されない。例えば、サポート柱取付金具６８の係脱部６８２を、先端側形材６４（屋根体構成形材）の形材側下面６４９ａと同一平面状に配置してもよいし、先端側形材６４（屋根体構成形材）の内部（形材側下面６４９ａよりも上方）に配置してもよい。
【符号の説明】
【００９４】
２  支柱（柱材）
４  梁
６  屋根体
１２  サポート柱
６４  先端側形材（屋根材構成形材）
６８  サポート柱取付金具
１０８  ネジ部材
６４９ａ  形材側下面
６４９ｂ  開口部
６８２  係脱部
６８５ａ  係脱部の下面
【図１】
2018123652.tif 000003
【図２】
2018123652.tif 000004
【図３】
2018123652.tif 000005
【図４】
2018123652.tif 000006
【図５】
2018123652.tif 000007
【図６】
2018123652.tif 000008
【図７】
2018123652.tif 000009
【図８】
2018123652.tif 000010
【図９】
2018123652.tif 000011
【図１０】
2018123652.tif 000012